(57)【特許請求の範囲】
【請求項１】
ＰＤＰ（プラズマディスプレイパネル）等の表示装置の表示面の前面に取り付けて電磁波の遮蔽等を行う透明電極等の導電体を形成したアクリル板等からなる光学フィルタの取付構造において、同表示装置の前面枠の内側に、同導電体に当接して付勢する板バネを同前面枠と一体に成形して、同バネにより同光学フィルタに形成した導電体を電気的に外部に接続するようにすることを特徴とした光学フィルタ取付構造。
【請求項２】
前記表示装置の前面枠は合成樹脂とし、前記板バネは、同前面枠の一部を切り起こして板バネの形状に形成し、同板バネの表面に同前面枠の内側に形成した電磁波遮蔽用の導電塗料等の導電膜と連続した導電膜を形成することを特徴とした請求項１記載の光学フィルタ取付構造。
【請求項３】
前記板バネは、金属板等の導電体で作成した前面枠又は合成樹脂の前面枠の内側に形成した電磁波遮蔽用の金属板と一体として形成することを特徴とした請求項１記載の光学フィルタ取付構造。
【請求項４】
前記板バネが当接する光学フィルタの反対面に同板バネとの間に同光学フィルタを挟持する鉤爪を設けることを特徴とした請求項１記載の光学フィルタ取付構造。
【請求項５】
前記鉤爪は前記光学フィルタの外側に撓む構造とすることを特徴とした請求項４記載の光学フィルタ取付構造。
【請求項６】
前記光学フィルタの電気的な接続は、前記板バネに代えて前記鉤爪を介して行うことを特徴とした請求項５記載の光学フィルタ取付構造。
【請求項７】
前記板バネは前記前面枠の内側に当接する前記光学フィルタの反対面に当接するように形成することを特徴とした請求項１記載の光学フィルタ取付構造。
【発明の詳細な説明】
【０００１】
【発明の属する技術分野】
本発明は、ＰＤＰ（プラズマディスプレイパネル）等の表示面から不要に輻射する電磁波を遮蔽する光学フィルタの、電気的な接続が簡単に行える光学フィルタの取付構造に関する。
【０００２】
【従来の技術】
図４は、従来の光学フィルタの取付構造の１例を示す要部の側面図（一部断面）である。ＰＤＰ１を筐体の前面枠４３等の中に収容してテレビ映像等を表示する表示装置を構成する。ＰＤＰ１の表示面１ａの前面には、ＰＤＰ等から不要に輻射する電磁波を遮蔽する等の目的で透明電極４２ａ等の導電体を形成した光学フィルタ４２を装着する。光学フィルタ４２の透明電極４２ａは、前面枠４３の内側に立設したボス４３ｂにビス４５で係止した板バネ４４を当接して、金属製の板バネ４４を通して、前面枠４３の内側等に形成した電磁波遮蔽用の筐体導電膜４３ａを通して接地される。しかし、このような光学フィルタの取付構造では、複数の板バネ４４、ビス４５などの部品点数が多くなるばかりでなく、組立工数も増大して不経済となる。また、板バネ４４と筐体導電膜４３ａとの間の接触インピーダンスにより、光学フィルタ４２の透明電極４２ａの接地インピーダンスが大きくなり、電磁波の遮蔽効果が不十分となるおそれもある。
【０００３】
【発明が解決しようとする課題】
本発明は上記問題点に鑑みなされたもので、電磁波を遮蔽する光学フィルタを簡単にかつ確実に取り付ける技術を提供することを目的とする。
【０００４】
【課題を解決するための手段】
表示装置の前面枠の内側に、光学フィルタに形成した導電体に当接して付勢する板バネを同前面枠と一体に形成して、同バネにより同光学フィルタに形成した導電体等を電気的に外部に接続するようにして、導電膜の外部接続のための部品点数を少なくするとともに接続インピーダンスを最小にする。
【０００５】
【発明の実施の形態】
ＰＤＰ（プラズマディスプレイパネル）等の表示装置の表示面の前面に取り付けて電磁波の遮蔽等を行う透明導電膜等の導電体を形成したアクリル板等からなる光学フィルタの取付構造において、同表示装置の前面枠の内側に、同光学フィルタに形成した導電体に当接して付勢する板バネを同前面枠と一体に形成して、同バネにより同光学フィルタに形成した導電体を電気的に外部に接続するようにする。
【０００６】
前記表示装置の前面枠は合成樹脂とし、前記板バネは、同前面枠の一部を切り起こて板バネの形状に成形し、その板バネの表面に前面枠の内側に形成した電磁波遮蔽用の導電塗料等の導電膜と連続した導電膜を形成する。
【０００７】
前記板バネは、金属等の導電体で作成した前面枠又は合成樹脂の前面枠の内側に形成した電磁波遮蔽用の金属板と一体に形成する。
【０００８】
前記板バネが当接する光学フィルタの反対面に、同板バネとの間に同光学フィルタを挟持する鉤爪を設ける。
【０００９】
前記鉤爪は前記光学フィルタの外側に撓む構造とする
【００１０】
前記光学フィルタの電気的な接続は、前記板バネに代えて前記鉤爪を介して行う。
【００１１】
前記板バネは前記前面枠の内側に当接する前記光学フィルタの反対面に当接するように形成する。
【００１２】
【実施例】
図１は、本発明による光学フィルタ取付構造の１実施例の要部の側面図（一部断面）である。上記のようにＰＤＰ１を筐体の前面枠３等の中に収容してテレビ映像等を表示する表示装置を構成する。ＰＤＰ１の表示面１ａの前面には、ＰＤＰ１等から不要に輻射する電磁波を遮蔽する等の目的で透明電極２ａ等の導電体を形成した光学フィルタ２を装着する。光学フィルタ２は例えばアクリル板などの透明な基板に蒸着等で透明な電極膜を形成して構成する。前面枠３は合成樹脂で作成し、その前面枠３の内側の一部を切り起こして板バネ４を成形する。板バネ４の光学フィルタの反対面には、前面枠３の内側に立設した例えば板状の柱５ｂに載置した鉤状の爪である鉤爪５を設ける。光学フィルタ２を板バネ４と鉤爪５の間に挟着すると、光学フィルタの透明電極２ａが、前面枠３の内側および板バネ４の表面に形成した電磁波遮蔽用の筐体導電膜３ａに接触して、筐体導電膜３ａを通して接地される。
【００１３】
鉤爪５を載置する柱５ｂは、例えば構成樹脂の前面枠と一体で形成した光学フィルタ２の外側に撓む構造とする。光学フィルタ２を装着するときは、鉤爪５は光学フィルタの端部に押されて柱５ｂが外側に撓み、光学フィルタ２が定位置に装着された後に元に戻り光学フィルタ２を挟持するようになる。前面枠３は電磁遮蔽用を兼ねて導電性の金属板等で構成することもできる。また、合成樹脂の前面枠の内側に、電磁遮蔽用の金属板等を内張りすることもできる。このような場合には、板バネ４はその金属板等の導電体と一体に形成することもできる。
【００１４】
図２は、本発明による光学フィルタ取付構造の別の実施例の要部の側面図（一部断面）である。上記と同様にＰＤＰ１の表示面１ａの前面に透明電極２２ａを形成した光学フィルタ２２を装着する。光学フィルタ２２の端部は、前面枠２３の内側に前面枠２３と一体で形成した板バネ２４と鉤爪２５で挟持して保持する。光学フィルタ２２の透明電極２２ａは、鉤爪２５の光学フィルタ２２側に形成した筐体導電膜２３ａに接触して、透明電極２３ａを筐体導電膜２３ａを通して接地される。
【００１５】
図３は、本発明による光学フィルタ取付構造の他の実施例の要部の側面図（一部断面）である。この例でも上記と同様にＰＤＰ１の表示面１ａの前面に透明電極３２ａを形成した光学フィルタ３２を装着する。光学フィルタ３２の端部は、前面枠３３の内側に前面枠３３と一体で形成した板バネ３４と前面枠３３の間に挟持して保持する。光学フィルタ３２の透明電極３２ａは、板バネ３４の光学フィルタ３２側に形成した筐体導電膜３３ａに接触して、透明電極３３ａを筐体導電膜３３ａを通して接地するようにする。
【００１６】
【発明の効果】
表示装置の前面枠の内側に、光学フィルタに形成した導電膜等に当接して付勢する板バネを同前面枠と一体に形成して、同バネにより同光学フィルタに形成した導電体を電気的に外部に接続するようにすることにより、光学フィルタの導電体を外部に接続するための別部品が不要となるため、不品点数が少なくなり、組立工数が削減でき経済的となる。また、導電体の接続のためのインピーダンスも最小に抑えることが可能となり、電磁波の遮蔽効果を上げることができる。
【図面の簡単な説明】
【図１】本発明による光学フィルタ取付構造の１実施例の要部の側面図（一部断面）である。
【図２】本発明による光学フィルタ取付構造の別の実施例の要部の側面図（一部断面）である。
【図３】本発明による光学フィルタ取付構造の他の実施例の要部の側面図（一部断面）である。
【図４】従来の光学フィルタの取付構造の１例を示す要部の側面図（一部断面）である。
【符号の説明】
１  ＰＤＰ（プラズマディスプレイパネル）
２  光学フィルタ
３  前面枠
４  板バネ
５  鉤爪
２２  光学フィルタ
２３  前面枠
２４  板バネ
２５  鉤爪
３２  光学フィルタ
３３  前面枠
３４  板バネ
４２  光学フィルタ
４３  前面枠
４４  板バネ
４５  ネジ
【図１】
0003669113.tif 000002
【図２】
0003669113.tif 000003
【図３】
0003669113.tif 000004
【図４】
0003669113.tif 000005